(57)【要約】【課題】ゲーム盤と、ゲーム盤に収納できると共に、繰り返し使用可能である駒とを備えることにより、使用上の利便性に優れると共に、持ち運びが楽であり、更には、環境に極めて優しい盤ゲームセットを提供する。【解決手段】開閉自在に枢設される２つのゲーム盤（１０，２０）と、円柱状を呈する複数の駒（４０）とを備え、縦横に複数本の第一境界線（１２、２２）が設けられることにより、前記ゲーム盤（１０，２０）の盤面が複数のブロック（１３、２３）に分割されると共に、該複数のブロック（１３、２３）内において縦横に複数本の第二境界線（１４、２４）が設けられることにより、各ブロック（１３、２３）がマトリクス状の複数のマスに分割され、更に、該各マスに収容穴（１５、２５）が凹設され、前記駒（４０）の軸方向における両端部が、前記収容穴（１５、２５）に挿入可能であることを特徴とする。【選択図】図２
0003152239.tif 000002
【実用新案登録請求の範囲】
【請求項１】
開閉自在に枢設される２つのゲーム盤（１０，２０）と、
円柱状を呈する複数の駒（４０）とを備え、
縦横に複数本の第一境界線（１２、２２）が設けられることにより、前記ゲーム盤（１０，２０）の盤面が複数のブロック（１３、２３）に分割されると共に、該複数のブロック（１３、２３）内において縦横に複数本の第二境界線（１４、２４）が設けられることにより、各ブロック（１３、２３）がマトリクス状の複数のマスに分割され、更に、該各マスに収容穴（１５、２５）が凹設され、
前記駒（４０）の軸方向における両端部が、前記収容穴（１５、２５）に挿入可能であることを特徴とする、盤ゲームセット。
【請求項２】
前記駒（４０）の軸方向における両端部と、前記ゲーム盤（１０，２０）における収容穴（１５、２５）とは、磁力により互いに吸着可能であることを特徴とする請求項１に記載の盤ゲームセット。
【請求項３】
前記ゲーム盤（１０，２０）における各ブロック（１３、２３）は、縦横に設けられる複数本の第二境界線（１４、２４）により、３×３のマトリクス状のマスに分割されることを特徴とする請求項１または２に記載の盤ゲームセット。
【請求項４】
前記ゲーム盤（１０，２０）における各ブロック（１３、２３）は、縦横に設けられる複数本の第二境界線（１４、２４）により、４×４のマトリクス状のマスに分割されることを特徴とする請求項１または２に記載の盤ゲームセット。
【請求項５】
前記駒（４０）の軸方向における両端面にアルファベットが描かれることを特徴とする請求項１乃至４のいずれか１項に記載の盤ゲームセット。
【請求項６】
前記駒（４０）の軸方向における両端面に数字が描かれることを特徴とする請求項１乃至４のいずれか１項に記載の盤ゲームセット。
【請求項７】
前記駒（４０）の軸方向における両端面にそれぞれ、アルファベットと数字が描かれることを特徴とする請求項１乃至４のいずれか１項に記載の盤ゲームセット。
【考案の詳細な説明】
【技術分野】
【０００１】
本考案は、特に数独（登録商標）ゲームに用いる、駒とゲーム盤からなる盤ゲームセットに関するものである。
【背景技術】
【０００２】
数独用の盤ゲームは通常、マトリクス状に配置された複数のマスに数字を嵌め込んでいくパズルゲームである。
つまり、ゲーム盤（１０，２０）の盤面にそれぞれ数字が示されており、それらの数字に基づいて縦横各列の空いているマスに重複しない数字を嵌め込んでいく遊びである。
また、他の遊び方としては、英単語のスペルの一部が示されており、その単語を完成させるように、空いているマスにアルファベットを嵌め込んでいくというものもある。
このように、盤ゲームとしてではなく、一般の数独（登録商標）も、遊び方のバリエーションが豊富で、紙と鉛筆などの筆記用具だけで楽しめることから、世界中で流行している。
【考案の開示】
【考案が解決しようとする課題】
【０００３】
しかしながら、従来の数独ゲームは、次のような問題点があった。
１．記入の誤りまたは回答を訂正する場合、何度も消しゴムを使用するため、紙を破ってしまう恐れがある。
２．沢山の紙を消費するので環境に優しくない。
【０００４】
そこで、案出されたのが本考案であって、本のように開閉自在であるゲーム盤（１０，２０）と、ゲーム盤（１０，２０）に挿入できると共に、繰り返し使用可能であり、ゲーム盤（１０，２０）の盤面において入れ替えることにより、数独ゲームや英単語のスペルなどのゲームができる駒（４０）とを備えた、環境に優しく、持ち運びやすい盤ゲームセットを提供することを目的としている。
【課題を解決するための手段】
【０００５】
本願の第１考案は、開閉自在に枢設される２つのゲーム盤（１０，２０）と、円柱状を呈する複数の駒（４０）とを備え、縦横に複数本の第一境界線（１２、２２）が設けられることにより、前記ゲーム盤（１０，２０）の盤面が複数のブロック（１３、２３）に分割されると共に、該複数のブロック（１３、２３）内において縦横に複数本の第二境界線（１４、２４）が設けられることにより、各ブロック（１３、２３）がマトリクス状の複数のマスに分割され、更に、該各マスに収容穴（１５、２５）が凹設され、前記駒（４０）の軸方向における両端部が、前記収容穴（１５、２５）に挿入可能であることを特徴とする盤ゲームセット、を提供する。
【０００６】
本願の第２考案は、前記駒（４０）の軸方向における両端部と、前記ゲーム盤（１０，２０）における収容穴（１５、２５）とは、磁力により互いに吸着可能であることを特徴とする前記第１考案に記載の盤ゲームセット、を提供する。
【０００７】
本願の第３考案は、前記ゲーム盤（１０，２０）における各ブロック（１３、２３）は、縦横に設けられる複数本の第二境界線（１４、２４）により、３×３のマトリクス状のマスに分割されることを特徴とする前記第１考案または第２考案に記載の盤ゲームセット、を提供する。
【０００８】
本願の第４考案は、前記ゲーム盤（１０，２０）における各ブロック（１３、２３）は、縦横に設けられる複数本の第二境界線（１４、２４）により、４×４のマトリクス状のマスに分割されることを特徴とする前記第１考案または第２考案に記載の盤ゲームセット、を提供する。
【０００９】
本願の第５考案は、前記駒（４０）の軸方向における両端面にアルファベットが描かれることを特徴とする前記第１乃至４考案のいずれかひとつに記載の盤ゲームセット、を提供する。
【００１０】
本願の第６考案は、前記駒（４０）の軸方向における両端面に数字が描かれることを特徴とする前記第１乃至４考案のいずれかひとつに記載の盤ゲームセット、を提供する。
【００１１】
本願の第７考案は、前記駒（４０）の軸方向における両端面にそれぞれ、アルファベットと数字が描かれることを特徴とする前記第１乃至４考案のいずれかひとつに記載の盤ゲームセット、を提供する。
【考案の効果】
【００１２】
本考案は上記の課題を解決するものであり、ゲーム盤を開くだけでゲームを進行でき、かたずける際には、全ての駒を収容穴に挿入し収容してから、ゲーム盤を閉じるだけでよいので、使用上利便性に優れると共に、持ち運びも楽であり、何度も繰り返して使用することができるので、環境にも優しい。
【図面の簡単な説明】
【００１３】
【図１】本考案に係る盤ゲームセットの斜視図である。
【図２】本考案に係る盤ゲームセットの展開状態を示す斜視図である。
【図３】本考案に係る盤ゲームセットの使用状態を示す斜視図である。
【図４】本考案に係る盤ゲームセットにおける駒の実施例を示す斜視図である。
【図５】本考案に係る盤ゲームセットにおける駒の他の実施例を示す底面視斜視図である。
【図６】本考案に係る盤ゲームセットの一部断面図である。
【考案を実施するための最良の形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１は本考案に係る盤ゲームセットの斜視図であり、図２は本考案に係る盤ゲームセットの展開状態を示す斜視図であり、図３は本考案に係る盤ゲームセットの使用状態を示す斜視図であり、図４は本考案に係る盤ゲームセットにおける駒の実施例を示す斜視図であり、図５は本考案に係る盤ゲームセットにおける駒の他の実施例を示す底面視斜視図であり、図６は本考案に係る盤ゲームセットの一部断面図である。
【００１６】
図１乃至図３に示すように、本考案に係る盤ゲームセットは、２つのゲーム盤（１０，２０）と、複数の駒（４０）とを備える。
そのうち２つのゲーム盤（１０，２０）は、枢設部（１１、２１）を有し、該２つの枢設部（１１、２１）に枢軸（３０）が挿設されることにより、ゲーム盤（１０，２０）が開閉自在に枢設される。
また、前記２つのゲーム盤（１０，２０）に縦横に複数本の第一境界線（１２、２２）が設けられることにより、ゲーム盤（１０，２０）の盤面が複数のブロック（１３、２３）に分割されると共に、該ゲーム盤（１０，２０）に縦横に複数本の第二境界線（１４、２４）が設けられることにより、各ブロック（１３、２３）がマトリクス状の複数のマスに分割され、更に、該各マスには収容穴（１５、２５）が凹設される。
【００１７】
前記駒（４０）は円柱状を呈し、駒（４０）の軸方向における両端部は、前記収容穴（１５、２５）に挿入可能である。
【００１８】
前記駒（４０）の軸方向における両端部と、前記ゲーム盤（１０，２０）における収容穴（１５、２５）とは、磁力により互いに吸着可能であり、具体的には、たとえば駒（４０）の端部と収容穴（１５、２５）を、磁極の異なる磁石を用いることによって吸着可能とする。
【００１９】
前記ゲーム盤（１０，２０）における各ブロック（１３、２３）は、縦横に設けられる複数本の第二境界線（１４、２４）により、３×３または４×４のマトリクス状のマスに分割される。また、配列数の増減は、ゲーム盤（１０，２０）のサイズを変更することにより達成できる。
【００２０】
図４及び図５に示すように、数独、英単語のスペル、数字や図形などのパズルゲームに用いるために、駒（４０）の軸方向における両端面には、アルファベット（５０）、数字（６０）、または図形、文字が描かれ、そのうち数独ゲームに用いる場合には、駒（４０）の両端面に描かれる数字の色は異なる色（たとえば黒と赤）とする。これにより、ゲームを進行するとき、もともと問題として出された数字を赤で表示し、使用者が回答する数字を黒で示すことができるので、問題として出された数字と回答する数字とを区別することができる。また、確認済みの回答と未確認の回答を、それぞれ赤い数字と黒い数字で区別することもできる。
【００２１】
前記駒（４０）は、異なる形状や色にしたり、もしくは宝石などを埋め込んでもよい。
【００２２】
本考案の盤ゲームセットを用いて数独ゲームを行うときは、ゲーム盤（１０，２０）を平らな場所で展開し、駒（４０）をゲーム盤（１０，２０）の盤面において入れ替えて移動させたりして、正解を見つけ出しながら遊ぶ。また、図６に示すように、ゲームが終了し、かたずける時には、各駒（４０）を一方のゲーム盤（２０）における対応する２つの収容穴（１５、２５）に嵌め込み、他方のゲーム盤（１０）を重ねることにより、簡単に収納できるので、使用上の利便性に優れると共に、持ち運びも非常に楽である。
【産業上の利用可能性】
【００２３】
本考案は上記の構成を有するので、使用上の利便性に優れると共に、持ち運びが楽であり、更には、繰り返し使用可能であることから環境にも極めて優しい。
【符号の説明】
【００２４】
１          盤ゲームセット
１０        ゲーム盤
１１        枢設部
１２        第一境界線
１３        ブロック
１４        第二境界線
１５        収容穴
２０        ゲーム盤
２１        枢設部
２２        第一境界線
２３        ブロック
２４        第二境界線
２５        収容穴
３０        枢軸
４０        駒
５０        アルファベット
６０        数字
【図１】
0003152239.tif 000003
【図２】
0003152239.tif 000004
【図３】
0003152239.tif 000005
【図４】
0003152239.tif 000006
【図５】
0003152239.tif 000007
【図６】
0003152239.tif 000008